(57)【要約】【課題】使用寿命を向上し、生産コストを低下できるスライドレール自動収納装置を提供する。【解決手段】スライドレール自動収納装置は、固定レール５、スライド動レール６、スライド台１、固定台２、定位ブロック３及び引き伸ばし部４を含む。固定レール５にはレール槽５１が設置され、スライド動レール６は固定レール５によって嵌スライドする。スライド台１は、レール槽５１内で嵌スライドし、第一弾性部品１１及び係合片８を含む。係合片８は、第一端８１がスライド台１に可動接続し、第二端８２に係合棒８３が設置されている。固定台２は、固定レール５の端部に設置され、スライド台１と相互に連結している。定位ブロック３は、固定レール５内に設置され、凹槽３１及び第二斜面３２が設置されている。引き伸ばし部４は、スライド動レール６の内側に設置され、第一斜面及び凸体が設置されている。【選択図】図１
0003136600.tif 000002
【実用新案登録請求の範囲】
【請求項１】
固定レール、スライド動レール、スライド台、固定台、定位ブロック及び引き伸ばし部を備え、
前記固定レールにはレール槽が設置され、
前記スライド動レールは前記固定レールでスライド可能に嵌合し、
前記スライド台は前記固定レールのレール槽内でスライド可能に嵌合し、第一弾性部品及び係合片を有し、前記係合片は第一端、第二端及び係合棒を有し、前記係合片の第一端は前記スライド台に可動接続し、前記係合片の第二端には係合棒が設置され、
前記固定台は前記固定レールの端部に設置され、前記固定台と前記スライド台は前記第一弾性部品により相互に連結し、
前記定位ブロックは前記固定レール内に設置され、凹槽及び相互に隣接する第二斜面が設置され、前記係合片の係合棒は前記第二斜面に対応して沿って前記凹槽に係入し、
前記引き伸ばし部は前記スライド動レールの内側に設置され、第一斜面及び凸体が設置され、前記係合片の係合棒は前記第一斜面或いは前記凸体に対応することを特徴とするスライドレール自動収納装置。
【請求項２】
前記固定台は、第二弾性部品を含み、前記係合片の第二端に対応することを特徴とする請求項１記載のスライドレール自動収納装置。
【請求項３】
前記第二弾性部品は、弾性棒体であることを特徴とする請求項２記載のスライドレール自動収納装置。
【請求項４】
前記スライド台上にはガードが設置され、前記係合片の第二端は前記ガードに対応することを特徴とする請求項１記載のスライドレール自動収納装置。
【請求項５】
前記スライドレール自動収納装置は緩衝部を有し、前記緩衝部は少なくとも前記固定台と前記スライド動レールとの間、或いは、前記固定台と前記スライド台との間の両者の内の一つに設置されていることを特徴とする請求項１記載のスライドレール自動収納装置。
【請求項６】
前記緩衝部は、弾性体であることを特徴とする請求項５記載のスライドレール自動収納装置。
【請求項７】
前記緩衝部は、気液圧式の緩衝棒であることを特徴とする請求項５記載のスライドレール自動収納装置。
【請求項８】
前記スライドレール自動収納装置は磁性部を含み、前記磁性部は少なくとも前記固定台と前記スライド動レールとの間、或いは、前記固定台と前記スライド台との間の両者の内の一つに設置されていることを特徴とする請求項１記載のスライドレール自動収納装置。
【請求項９】
前記スライドレール自動収納装置は、ダンパーとギアチェーンを備え、前記ダンパーは前記スライド台上に設置され、殼台と回転阻害力を備えるギアを有し、前記ギアチェーンは前記固定レールに設置され、前記ダンパーのギアは前記ギアチェーンに噛み合って接続することを特徴とする請求項１記載のスライドレール自動収納装置。
【請求項１０】
前記ダンパーの殼台は、前記スライド台に固定されていることを特徴とする請求項９記載のスライドレール自動収納装置。
【請求項１１】
前記ダンパーの殼台の一端は、前記スライド台に可動接続し、揺動可能で、前記ダンパーのギアは前記ギアチェーンに相対して離合作用を備えることを特徴とする請求項９記載のスライドレール自動収納装置。
【請求項１２】
前記スライド台上には制限体が設置され、前記ダンパーの殼台に対応し、前記ダンパーの揺動角度を制限し、弾力体が設置されて前記ダンパーに対応することを特徴とする請求項１１記載のスライドレール自動収納装置。
【請求項１３】
前記殼台には弧槽が設置され、ピンが設置されて弧槽に穿伸し、前記スライド台に固定されていることを特徴とする請求項１１記載のスライドレール自動収納装置。
【請求項１４】
前記ギアチェーンは、導引レール上に成形され、前記導引レールは別に凹槽、相互に隣接する第二斜面及び第二弾性部品を含むことを特徴とする請求項９記載のスライドレール自動収納装置。
【請求項１５】
前記スライドレール自動収納装置は、固定台を含み、前記固定台と前記導引レールは一体成形されて相互に連接することを特徴とする請求項１４記載のスライドレール自動収納装置。
【考案の詳細な説明】
【技術分野】
【０００１】
本考案は、スライドレール自動収納装置に関する。特に、スライド動レールが収納位置まで押し戻される最終段階行程時に、固定レール内のスライド移動するスライド台により固定レール端部まで自動的に引き戻され、しかもスライド台が不注意で失効しても、再操作により正常機能を回復することができるスライドレール自動収納装置に係る。
【背景技術】
【０００２】
一般の抽斗或いはその類似物は、スライドレールにより水平スライド移動する時、引き出し展開或いは元の位置回復の全行程の動作では、多くは使用者が力を加えて操作して完成される。一方、スライドレールが自動的に位置を回復する製品も市販されている。これら自動位置回復のスライドレールは、抽斗を押し戻す時、最終段階の行程において、自動的に抽斗をタンス等の収蔵空間に完全に収納して完全に閉鎖するものである。
【０００３】
上記の自動位置回復スライドレールの相関設計は、米国特許では、Ｎｏｓ．５０１５０４８、５０２０８６８、５０４０８３３、５０４０８５８、５２０７７８１、５２４０３１８、５３０２０１６、５３６４１７９、５４７４３７５、５５８０１３８、６２５４２０５  Ｂ１、６３４００７８  Ｂ１、６６２９７３８  Ｂ２、６６５２０５０  Ｂ２、６６７２６９２  Ｂ２、６７１２４３５  Ｂ２、６７３３０９７  Ｂ２、６７３６４７１  Ｂ２、６７９９８１７  Ｂ１、６８４６０５３  Ｂ２、６８４８７５９  Ｂ２、６９５３２３３  Ｂ２、６９７１７２９  Ｂ１、６９７９０６６  Ｂ２、６９９７５２８  Ｂ２、７０４０７２５  Ｂ１、７０７７４８７  Ｂ２、７０８３２４３  Ｂ２、７１０４６９１  Ｂ２、７１５９９５８  Ｂ１；Application Published Ｎｏｓ．２００４／０１８３４１１  Ａ１、２００４／０２３９２１８  Ａ１、２００５／０１０４４９２  Ａ１、２００５／０２３１０８３  Ａ１、２００６／００１７３５８  Ａ１、２００６／００４３８５１  Ａ１、２００６／００８２２６６  Ａ１、２００６／０１０８９０１  Ａ１、２００６／０１８６７７２  Ａ１、２００６／０２３８０８９  Ａ１、２００７／０００１５６２  Ａ１、２００７／００４６１５８  Ａ１、２００７／０１３２３４６  Ａ１及びＥＵ  Patent Ｎｏ．０７４３０３２  Ｂ１がある。
【考案の開示】
【考案が解決しようとする課題】
【０００４】
本考案の主な目的は、スライドレールそのものの構造を有効に活用し、スライドレールのレール槽を直接利用し、自動的に収納及び伸出が可能なレール体のスライド台を設置し、こうして全体的な使用寿命を向上させ、生産コストを低下させることができるスライドレール自動収納装置を提供することである。
【課題を解決するための手段】
【０００５】
本考案において、自動機構の使用寿命が短いという問題を解決する。スライドレール自動収納装置は、スライド動レールを収納位置に推し戻す最終段階の行程時に、固定レール内のスライド移動するスライド台を利用し、スライド動レールを固定レールの端部に自動的に引き戻す。
【０００６】
スライドレール自動収納装置は、固定レール、スライド動レール、スライド台、固定台、定位ブロック及び引き伸ばし部を含む。
該固定レールにはレール槽を設置し、該スライド動レールは該固定レールにおいてスライド可能に嵌合し、該スライド台は該固定レールのレール槽内においてスライド可能に嵌合し、第一弾性部品及び係合片を含み、該係合片は第一端、第二端及び係合棒を含み、該係合片の第一端は該スライド台に可動接続し、該係合片の第二端には係合棒を設置し、該固定台は該固定レール端部に設置する。該固定台と該スライド台は該第一弾性部品により連結し、該定位ブロックは該固定レール内に設置し、該定位ブロックには凹槽及び相互に隣接する第二斜面を設置する。これにより、該係合片の係合棒は該第二斜面に対応して沿って該凹槽に係入し、該引き伸ばし部は該スライド動レール内側に設置し、しかも第一斜面及び凸体を設置し、これにより、該係合片の係合棒は該第一斜面或いは該凸体に対応して使える。
【０００７】
該固定台は、該第二弾性部品を含み、該係合片の第二端に対応している。
該第二弾性部品は、弾性棒体である。
該スライド台上にはガードを設置し、該係合片の第二端は該ガードに対応して使える。
上記スライドレール自動収納装置は、緩衝部を含み、該緩衝部は少なくとも該固定台と該スライド動レールとの間、或いは、該固定台と該スライド台との間の両者の内の一つに設置する。
【０００８】
上記緩衝部は、弾性体である。
上記緩衝部は、気液圧式の緩衝棒である。
上記スライドレール自動収納装置は、磁性部を含み、該磁性部は少なくとも該固定台と該スライド動レールとの間、或いは、該固定台と該スライド台との間の両者の内の一つに設置する。
【０００９】
上記スライドレール自動収納装置は、ダンパーとギアチェーンを含み、該ダンパーは殼台と回転阻害力を備えるギアを含み、該ダンパーは該スライド台上に設置し、該ギアチェーンは該固定レールに設置し、該ダンパーのギアは該ギアチェーンに噛み付いて接続する。
該ダンパーの殼台は、該スライド台に固定する。
該ダンパーの殼台一端は、該スライド台に可動接続し、揺動可能で、これにより、該ダンパーのギアは該ギアチェーンに相対して離合作用を備える。
【００１０】
該スライド台上には制限体を設置し、該ダンパーの殼台に対応し、該ダンパーの揺動角度を制限し、及び弾力体を設置して該ダンパーに対応する。
該殼台には弧槽を設置し、ピンを設置して弧槽に穿伸し、該スライド台に固定する。
該ギアチェーンは、導引レール上に成形し、該導引レールは別に凹槽及び相互に隣接する第二斜面及び第二弾性部品を含む。
固定台を含み、該固定台と該導引レールは一体成形されて相互に連接する。
【００１１】
公知技術と比較して本考案は以下のような機能と効果の増進及び長所を備える。
ａ．スライド台関連のスライド動機構は簡単かつ実用的で、コスト低下が可能である。
ｂ．スライド台は直接レール槽中でスライド移動し、スライド台のスライド行は安定し、機能の失効は起こりにくく、耐用性が高く、使用寿命を延長可能である。
ｃ．全体的機構の運用空間はフレキシブルで、多種の補助機能を結合することができるスライドレール自動収納装置を提供する。
（考案の効果）
【００１２】
上記のように、本考案は、公知技術と比較して以下のような機能と効果の増進及び長所を備える。すなわち、スライド台関連のスライド動機構は簡単かつ実用的で、コスト低下が可能で、また、スライド台は直接レール槽中でスライド移動し、スライド台のスライド行は安定し、機能の失効は起こりにくく、しかも耐用性が高く、使用寿命を延長可能である。さらに、全体的機構の運用空間はフレキシブルで、多種の補助機能を結合することができる。
【考案を実施するための最良の形態】
【００１３】
以下、本考案を図面を参照して説明する。
（第１実施例）
図１から図３に示すように、本考案の第１実施例によるスライドレール自動収納装置は、固定レール５、中継レール７及びスライド動レール６を含む三節式スライドレールであり、以下を含む。
固定レール５にはレール槽５１を設置する。
スライド動レール６は、固定レール５においてスライド可能に嵌合する。
【００１４】
スライド台１は、固定レール５のレール槽５１内においてスライド可能に嵌合し、第一弾性部品１１及び係合片８を含む。
係合片８は、第一端８１、第二端８２、係合棒８３及びピボット８４を含む。係合片８の第一端８１はスライド台１に可動接続し、係合片８の第二端８２には係合棒８３を設置する。係合片８の第一端８１は、ピボット８４によりスライド台１に可動接続する。
【００１５】
固定台２は、固定レール５端部に設置し、固定台２とスライド台１は第一弾性部品１１により相互に連結する。
定位ブロック３は、固定レール５内に設置し、凹槽３１及び相互に隣接する第二斜面３２を設置し、係合片８の係合棒８３により第二斜面３２に沿って凹槽３１に係入する。
【００１６】
引き伸ばし部４は、スライド動レール６内側に設置し、第一斜面４１及び凸体４２を設置し、係合片８の係合棒８３により第一斜面４１或いは凸体４２に対応する。
これにより、係合片８の係合棒８３は、スライド動レール６の引き伸ばし部４と固定レール５内の定位ブロック３に相対して導引され、係合と開放の二活動位置を備える。係合片８は別に第二弾性部品２１に対応し、第二弾性部品２１は固定台２に成形し、一種の弾性棒体形態を呈する。スライド台１において第一弾性部品１１により引き伸ばされて固定台２まで位置を回復する時、第二弾性部品２１は係合片８を偏らせる。
【００１７】
正常使用操作時は、図３から図６に示す。
図３では、スライドレールは既に収納状態にあり、スライド台１は固定台２位置に回復し、係合片８の係合棒８３は固定台２前端の第二弾性部品２１により上方へと押され、しかもスライド動レール６内側の引き伸ばし部４は凸体４２と係合片８の係合棒８３により相互に定位され、引き伸ばし部４とスライド台１を利用し、係合片８の嵌合を通して連結する。しかも第一弾性部品１１はスライド台１に引力を施し、スライド動レール６は固定レール５に完全に収納後に定位される。
【００１８】
図４では、スライド動レール６は固定レール５に対応して引き伸ばされ、引き伸ばし部４は係合片８を経てスライド台１を連動して外へとスライド移動させ、係合片８の係合棒８３は固定台２前端の第二弾性部品２１を脱離する。
図５では、スライド動レール６は、固定レール５に相対してさらに少しの距離を引き伸ばされる。係合片８の係合棒８３は定位ブロック３の第二斜面３２に接触し、係合片８の係合棒８３は定位ブロック３の凹槽３１区域に徐々に進入する。
【００１９】
図６では、スライド動レール６は継続して引き伸ばされ、係合片８の係合棒８３は定位ブロック３の凹槽３１にスライド入り、スライド台１は定位ブロック３において停滞する。引き伸ばし部４の凸体４２は係合片８の係合棒８３を離脱し、引き伸ばし部４はスライド動レール６に従って引き出しが継続される。
【００２０】
操作に異常が発生した状況について以下に説明する。
外力の震動により、引き動かす過程或いは定位後に、スライド台１が固定台２位置に戻ってしまうなど、スライド台１がスライド動レール６に従って引き伸ばされて定位ブロック３に停滞する操作が失敗した時には、図７に示すように、スライド台１は第一弾性部品１１により単独で引き戻され、しかも係合片８の係合棒８３は固定台２前端の第二弾性部品２１により上方へと押され、この状況を排除する。
【００２１】
図８に示すように、さらに、スライド動レール６を押し戻す（当然、今回の引き出し使用後に再度押し戻すことも可能である。今回の押し戻し操作に自動位置回復作動がなくても、再引き出しでは、自動収納位置回復機能を回復する）。スライド動レール６の押し戻し後、引き伸ばし部４の凸体４２は係合片８の係合棒８３を越えさせられ（第二弾性部品２１は係合片８に偏転の弾性作用を提供し）、引き伸ばし部４の凸体４２と係合片８の係合棒８３は再び相互に係合し、こうして上記図４から図６に示す正常操作を行うことができる。      
【００２２】
スライド動レール６の再度の収納では、図９に示すように、引き伸ばし部４がスライド台１に到達する時、引き伸ばし部４の第一斜面４１は先ず係合棒８３を押し、これにより、係合棒８３は定位ブロック３の凹槽３１を徐々に脱離する。続いて、図１０に示すように、係合棒８３が定位ブロック３の凹槽３１を脱離後、係合棒８３も引き伸ばし部４の凸体４２につかえ、スライド台１は定位ブロック３との係合状態を解除する。これにより、スライド台１は、第一弾性部品１１の引力によりスライド動レール６を引き戻し、固定レール５に収納される。
【００２３】
（第２実施例）
図１１、図１２及び図１３に示すように、本考案の第２実施例によるスライドレール自動収納装置のスライド台１Ａでは、スライド台１Ａ上にはガード１２Ａを設置し、係合片８の第二端８２はガード１２Ａに接触してつかえ、二個の固定位置において振り動く。
１個の固定位置は、図１２に示すように、図示中の方向からこれを見ると、係合片８の第二端８２は上向き状態で、これにより、係合棒８３の該定位ブロック３の凹槽３１における係合をより確実にすることができる。
【００２４】
第２実施例の固定位置は、図１３に示すように、図示中の方向からこれを見ると、係合片８の第二端８２は下向き状態で、係合棒８３の該引き伸ばし部４の凸体４２における係合をより確実にすることができる。
図１４から図１６に示すように、本実施例は、さらに緩衝部を結合する。緩衝部の結合により、スライド動レール６収納の衝撃力及び騒音を緩和することができる。
【００２５】
図１４では、固定台２とスライド動レール６との間に第一弾性体９１を設置する。
図１５では、固定台２とスライド台１との間に第二弾性体９２を設置する。
図１６に示すように、固定台２とスライド台１との間に気液圧式の緩衝棒９３を設置する。
図１７と図１８に示すように、本実施例は、さらに磁性部を結合する。磁性部の結合により、スライド動レール６収納の定位力量を拡大することができる。
【００２６】
図１７では、第一磁性部９４は、固定台２とスライド動レール６との間に設置し、金属材質のスライド動レール６を吸着する。
図１８では、第二磁性部９５は、固定台２とスライド台１との間に設置し、それぞれ固定台２とスライド台１の相対端に固定する。
以上は、主に、固定レール５とスライド動レール６との間に中継レール７を連結する「三節式スライドレール」の実施例であるが、図１９に示すように、スライド動レール６と固定レール５だけを含む「二節式スライドレール」もまた本考案の範疇に含まれる。
【００２７】
図２０と図２１に示すように、本実施例は、さらにダンパーを結合する。ダンパーの結合により、スライド動レール６Ｂは収納時に緩慢移動の阻害力を備える。ダンパー９６はスライド台１Ｂ上に設置し、ダンパー９６は殼台９６１と回転阻害力を備えるギア９６２を含み、ダンパー９６の殼台９６１はスライド台１Ｂに固定し、別にギアチェーン９７を設置して固定レール５Ｂ内に固定する。これにより、ダンパー９６のギア９６２はギアチェーン９７と噛み合って接続し、固定レール５Ｂ後端において固定台２Ｂを設置し、固定台２Ｂとスライド台１Ｂは第一弾性部品１１Ｂにより連結する。
【００２８】
さらに、図２２と図２３に示すように、ダンパー９６の殼台９６１両端には可動接続端９６１１と活動端９６１２を設置する。ダンパー９６は殼台９６１の可動接続端９６１１によりスライド台１Ｂに可動接続し、揺動可能で、スライド台１Ｂ上には制限体９６３を設置し、殼台９６１の活動端９６１２に対応し、ダンパー９６の揺動角度を制限する。弾力体９６４を設置してダンパー９６に対応し、これにより、ダンパー９６のギア９６２が比較的大きい阻害力を受ける時には、図２２に示すように、ダンパー９６は揺動して弾力体９６４を押し、ギア９６２はギアチェーン９７に相対してその噛み合い状態を脱離する。スライド台１Ｂにおいて位置を回復する時には、ダンパー９６はギア９６２により揺れ戻り、再度ギアチェーン９７と噛み合う。その離合作用により、スライド台１Ｂが引き出される時、ダンパー９６の阻害力作用を自動解除することができる。
【００２９】
（第３実施例）
この他、ダンパー９６Ｃの揺動角度を制限する技術における第３実施例では、図２４に示すように、殼台９６１Ｃの活動端９６１２Ｃには可動接続端９６１１Ｃの回転の中心の弧槽９６１３Ｃに対応してピン９６５Ｃを設置し、弧槽９６１３Ｃに穿伸し、スライド台１Ｃに固定する。
図２５に示すように、上記構造中において、ギアチェーン９７Ｄは導引レール９８Ｄ上に成形することができる。導引レール９８Ｄは、別に凹槽３１Ｄ及び相互に隣接する第二斜面３２Ｄを含み、第二弾性部品２１Ｄを設置する。
さらに、図２６に示すように、固定台２Ｅは、また、導引レール９８Ｅと一体スライド可能に嵌合して相互に連接することができる。
【図面の簡単な説明】
【００３０】
【図１】本考案の第１施例によるスライドレール自動収納装置の三節式スライドレールを示す斜視図である。
【図２】本考案の第１実施例によるスライドレール自動収納装置の引き伸ばし部を示す斜視図である。
【図３】本考案の第１実施例によるスライドレール自動収納装置の完全収納状態を示す模式図である。
【図４】本考案の第１実施例によるスライドレール自動収納装置の正常状況において引き伸ばし部がスライド台を外へと連動する状態の操作を示す模式図である。
【図５】本考案の第１実施例によるスライドレール自動収納装置の正常状況において係合片が定位ブロック位置に達する状態の操作を示す模式図である。
【図６】本考案の第１実施例によるスライドレール自動収納装置の正常状況において引き伸ばし部がスライド台を離脱する状態の操作を示す模式図である。
【図７】本考案の第１実施例によるスライドレール自動収納装置の異常状況においてスライド台が弾き戻る状態の操作を示す模式図である。
【図８】本考案の第１実施例によるスライドレール自動収納装置の異常状況を排除する操作を示す模式図である。
【図９】本考案の第１実施例によるスライドレール自動収納装置の引き伸ばし部の第一斜面が係合棒を押す収納操作を示す模式図である。
【図１０】本考案の第１実施例によるスライドレール自動収納装置の係合棒が引き伸ばし部の凸体につかえる収納操作を示す模式図である。
【図１１】本考案の第２実施例によるスライドレール自動収納装置のスライド台を示す斜視図である。
【図１２】本考案の第２実施例によるスライドレール自動収納装置のスライド台と係合片の定位を示す模式図である。
【図１３】本考案の第２実施例によるスライドレール自動収納装置のスライド台と係合片の定位を示す模式図である。
【図１４】本考案の第２実施例によるスライドレール自動収納装置の固定台とスライド動レールとの間に設置する緩衝部を結合する構造を示す模式図ある。
【図１５】本考案の第２実施例によるスライドレール自動収納装置の固定台とスライド台との間に設置する緩衝部を結合する構造を示す模式図である。
【図１６】本考案の第２実施例によるスライドレール自動収納装置の固定台とスライド台との間に設置する緩衝部を結合する構造を示す模式図である。
【図１７】本考案の第２実施例によるスライドレール自動収納装置の固定台とスライド動レールとの間に設置する磁性部を結合する構造を示す模式図である。
【図１８】本考案の第２実施例によるスライドレール自動収納装置の固定台とスライド台との間に設置する磁性部を結合する構造を示す模式図である。
【図１９】本考案の第２実施例によるスライドレール自動収納装置の二節式スライドレールの構造を示す模式図である。
【図２０】本考案の第２実施例によるスライドレール自動収納装置のギア式ダンパーとギアチェーンを結合する状態を示す分解斜視図である。
【図２１】本考案の第２実施例によるスライドレール自動収納装置のギア式ダンパーとギアチェーンを結合する状態を示す模式図である。
【図２２】本考案の第２実施例によるスライドレール自動収納装置のギア式ダンパーのギアチェーンに噛み合わない状態を示す模式図である。
【図２３】本考案の他第２実施例によるスライドレール自動収納装置のギア式ダンパーのギアチェーンに噛み合う状態を示す模式図である。
【図２４】本考案の第３実施例によるスライドレール自動収納装置のギア式ダンパーが離合作用を備える状態を示す模式図である。
【図２５】本考案の第３実施例によるスライドレール自動収納装置のギア式ダンパーを導引レールに噛み合わせる構造を示す斜視図である。
【図２６】本考案の第３実施例によるスライドレール自動収納装置の固定台と導引レールの一体成形の構造を示す斜視図である。
【符号の説明】
【００３１】
１：スライド台、１Ｂ：スライド台、１Ｃ：スライド台、２：固定台、２Ｂ：固定台、２Ｅ：固定台、３：定位ブロック、４：引き伸ばし部、５：固定レール、５Ｂ：固定レール、６：スライド動レール、６Ｂ：スライド動レール、７：中継レール、８：係合片、１１：第一弾性部品、１１Ｂ：第一弾性部品、１２Ａ：ガード、２１：第二弾性部品、２１Ｄ：第二弾性部品、３１：凹槽、３１Ｄ：凹槽、３２：第二斜面、３２Ｄ：第二斜面、４１：第一斜面、４２：凸体、５１：レール槽、８１：第一端、８２：第二端、８３：係合棒、８４：ピボット、９１：第一弾性体、９２：第二弾性体、９３：緩衝棒、９４：第一磁性部、９５：第二磁性部、９６：ダンパー、９６Ｃ：ダンパー、９７：ギアチェーン、９７Ｄ：ギアチェーン、９８Ｄ：導引レール、９８Ｅ：導引レール、９６１：殼台、９６１Ｃ：殼台、９６２：ギア、９６３：制限体、９６４：弾力体、９６５Ｃ：ピン、９６１１：可動接続端、９６１１Ｃ：可動接続端、９６１２：活動端、９６１２Ｃ：活動端、９６１３Ｃ：弧槽
【図１】
0003136600.tif 000003
【図２】
0003136600.tif 000004
【図３】
0003136600.tif 000005
【図４】
0003136600.tif 000006
【図５】
0003136600.tif 000007
【図６】
0003136600.tif 000008
【図７】
0003136600.tif 000009
【図８】
0003136600.tif 000010
【図９】
0003136600.tif 000011
【図１０】
0003136600.tif 000012
【図１１】
0003136600.tif 000013
【図１２】
0003136600.tif 000014
【図１３】
0003136600.tif 000015
【図１４】
0003136600.tif 000016
【図１５】
0003136600.tif 000017
【図１６】
0003136600.tif 000018
【図１７】
0003136600.tif 000019
【図１８】
0003136600.tif 000020
【図１９】
0003136600.tif 000021
【図２０】
0003136600.tif 000022
【図２１】
0003136600.tif 000023
【図２２】
0003136600.tif 000024
【図２３】
0003136600.tif 000025
【図２４】
0003136600.tif 000026
【図２５】
0003136600.tif 000027
【図２６】
0003136600.tif 000028